(57)【要約】      （修正有）【課題】定期点検などで電動弁を試験駆動して故障する前の前兆となる異常を判定して対処可能とする。【解決手段】予作動弁制御盤３４は、火災検出とスプリンクラー作動による減圧検出を判別した場合に、作動用電動弁４２を開放制御して予作動弁４０を開放させる。予作動弁制御盤３４は、点検操作の受付けを検出した場合に、作動電動弁４２を起動して閉鎖位置と開放位置との間で動作させて動作時間を計測し、計測した動作時間が長い場合、過去の動作時間に対する差が大きい場合、又は、開放動作時間と閉鎖動作時間の差が大きい場合に、電動弁の異常を判定して判定結果を出力する。【選択図】図１
2015084822.tif 000002
【特許請求の範囲】
【請求項１】
遠隔操作により開閉動作する電動弁と、
所定の事象を判別した場合に、閉鎖位置と開放位置との間で前記電動弁を動作させる制御部と、
を備えた消火設備に於いて、
前記制御部に、
点検操作の受付けを検出した場合に、前記電動弁を起動して閉鎖位置と開放位置との間で動作させて動作時間を計測し、当該動作時間に基づいて前記電動弁の異常を判定して出力する試験制御部と、
を設けたことを特徴とする消火設備。
【請求項２】
請求項１記載の消火設備に於いて、前記試験制御部は、点検操作の受付けを検出した場合に、消火設備に設けた複数の電動弁を、動作の重複を回避する所定のインターバル時間をおいて順次起動制御して動作させることを特徴とする消火設備。
【請求項３】
請求項１記載の消火設備に於いて、前記試験制御部は、前記電動弁の動作時間が所定時間以上の場合に異常を判定することを特徴とする消火設備。
【請求項４】
請求項１記載の消火設備に於いて、前記試験制御部は、前記電動弁の動作時間が過去に試験動作した場合の動作時間に対する時間差が所定時間以上の場合に異常を判定することを特徴とする消火設備。
【請求項５】
請求項１記載の消火設備に於いて、前記試験制御部は、前記電動弁のる開放動作時間と閉鎖動作時間との時間差が所定時間以上の場合に異常を判定することを特徴とする消火設備。
【発明の詳細な説明】
【技術分野】
【０００１】
本発明は、火災感知器による火災検出時に電動弁の制御により予作動弁を開放してスプリンクラーヘッドから放水させる予作動式スプリンクラー消火設備などの消火設備に関する。
【背景技術】
【０００２】
従来、スプリンクラーヘッドの破損などによる誤放水を防止する消火設備として例えば予作動式のスプリンクラー消火設備が知られている。
【０００３】
予作動式スプリンクラー消火設備は、防護区画毎に設置した予作動弁装置、閉鎖型のスプリンクラーヘッド、火災感知器及び予作動弁制御盤で構成される。スプリンクラーヘッドを接続した予作動弁装置の２次側配管には加圧消火用水又は圧縮空気を充填しており、火災感知器により火災を検出した場合（シングルインターロック制御）、または火災検出とスプリンクラーヘッド作動による減圧検出の両方を判別した場合（ダブルインターロック制御）、予作動弁装置を開放してスプリンクラーヘッドから加圧消火用水を放水させる。
【０００４】
一方、スプリンクラーヘッドが破損した場合は、火災感知器による火災検出が判別されていないことから予作動弁装置の開放は行われず、誤放水を確実に防止することができる。
【０００５】
予作動弁装置は、開閉駆動機構を備えた本弁として機能する予作動弁と、予作動弁制御盤からの制御信号により遠隔的に開閉制御を受けて予作動弁を開閉させる作動用電動弁を備えている。作動用電動弁には全開位置と全閉位置を検出するリミットスイッチを設けており、予作動弁制御盤の起動制御により作動用電動弁のモータに駆動電圧を印加して開動作を行い、開動作中に全開位置を検出したらモータ駆動を停止して全開位置に停止している。また、作動用電動弁を全開位置に駆動した後に、予作動制御盤の復旧起動制御により、作動用電動弁のモータに極性を切り替えて駆動電圧を印加することで、モータの回転方向を切替えて閉動作を行い、閉動作中に全閉位置を検出したモータ駆動を停止して全閉位置に停止して復旧するようにしている。
【０００６】
また、予作動式スプリンクラー消火設備にあっては、定期点検の際に、スプリンクラーヘッドを接続した予作動弁装置の２次側配管の末端に設けた末端試験弁を開放操作してオリフィスで決まるスプリンクラーヘッドが一台作動した場合に相当する水量を排水管に流し、これによりスプリンクラーヘッドが作動したと同じ状態を擬似的に作り出す試験放水を行い、予作動弁制御盤で点検に伴う擬似的な火災検出と末端試験弁の開放操作による減圧検出に基づき、予作動弁装置の作動用電動弁を開放制御し、これにより予作動弁を試験的に開放し、流水検知信号が得られることを確認している。
【０００７】
また、定期点検の際には、予作動弁装置の全体的な動作試験にのみならず、予作動弁装置を開閉するために遠隔制御される作動用電動弁を試験動作して点検することが望ましい。
【０００８】
作動用電動弁の電動弁を点検は、例えば作動用電動弁に開放起動して閉鎖位置から開放位置へ動作し、全開位置の検出信号が獲られたら正常と判断し、一方、所定時間を経過しても全開位置の検出信号が得られない場合は、電動弁が動かずに止まっている故障と判定して報知している。
【先行技術文献】
【特許文献】
【０００９】
【特許文献１】特開平４−１８９３７２号公報
【特許文献２】特開平４−２７６２７１号公報
【発明の概要】
【発明が解決しようとする課題】
【００１０】
しかしながら、作動用電動弁を例えば開放起動して全開位置の検出信号が得られた場合に正常と判断し、全開位置の検出信号が得られない場合に故障を判定するものにあっては、故障により電動弁が動かなくなる前に、開閉動作に時間がかかる場合や、電動弁毎に動作時間が大きく変動する場合、或いは同じ電動弁でも開方向の動作時間と閉方向の動作時間が大きく相違するといった故障を起こす前の前兆現象を起こすことが想定されるが、このような故障の前兆現象として現れる異常を点検の際の動作試験では判定することができないという問題がある。
【００１１】
本発明は、電動弁が動かなくなる故障を起こす前に、その前兆となる電動弁の異常を判別して対処可能とする消火設備を提供することを目的とする。
【課題を解決するための手段】
【００１２】
本発明は、
遠隔操作により開閉動作する電動弁と、
所定の事象を判別した場合に、閉鎖位置と開放位置との間で前記電動弁を動作させる制御部と、
を備えた消火設備に於いて、
制御部に、
点検操作の受付けを検出した場合に、電動弁を起動して閉鎖位置と開放位置との間で動作させて動作時間を計測し、当該動作時間に基づいて電動弁の異常を判定して判定結果を出力する試験制御部と、
を設けたことを特徴とする。
【００１３】
（複数電動弁の順次起動試験）
試験制御部は、点検操作の受付けを検出した場合に、消火設備に設けた複数の電動弁を、動作の重複を回避する所定のインターバル時間をおいて順次起動制御して動作させる。
【００１４】
（異常判定１）
試験制御部は、電動弁の動作時間が所定時間以上の場合に異常を判定する。
【００１５】
（異常判定２）
試験制御部は、電動弁の動作時間が過去に試験動作した場合の動作時間に対する時間差が所定時間以上の場合に異常を判定する。
【００１６】
（異常判定３）
試験制御部は、記電動弁の開放動作時間と閉鎖動作時間との時間差が所定時間以上の場合に異常を判定する。
【発明の効果】
【００１７】
本発明の消火設備によれば、点検操作の受付けを検出した場合に、電動弁を起動して閉鎖位置と開放位置との間で動作させて動作時間を計測し、計測した動作時間に基づいて電動弁の異常、例えば電動弁の動作時間が所定時間以上の場合、電動弁の動作時間が過去に試験動作した場合の動作時間に対する時間差が所定時間以上の場合、又は、電動弁の開放動作時間と閉鎖動作時間との時間差が所定時間以上の場合などに、電動弁の異常を判定して判定結果を出力するようにしたため、試験動作による開閉位置の検出では判定できない電動弁が動かなくなる故障を起こす前に現れる前兆現象としての異常を判定し、電動弁が故障する前に、修理又は交換などによる対処を可能とし、電動弁の遠隔制御による消火動作を行う消火設備の信頼性を向上し、火災が発生した場合に確実に消火動作を行うことを可能とする。
【図面の簡単な説明】
【００１８】
【図１】予作動式スプリンクラー消火設備を例にとって概略を示した説明図
【図２】図１の予作動弁制御盤の機能構成の実施形態を示したブロック図
【図３】予作動式スプリンクラー消火設備の制御動作を示したフローチャート
【図４】定常状態で制御弁を開放位置に制御するスプリンクラー消火設備の概略を示した説明図
【発明を実施するための形態】
【００１９】
［予作動式スプリンクラー消火設備の概要］
図１は、本発明の消火設備の一例として、湿式予作動スプリンクラー消火設備の概要を示した説明図である。図１に示すように、建物の地下階などのポンプ室には消火ポンプ１０を設置し、モータ１２により駆動する。モータ１２はポンプ制御盤１４により起動・停止の運転制御を受ける。モータ１２により駆動された消火ポンプ１０は水源水槽１５からの消火用水を吸入し、建物の高さ方向に配置した給水本管１６に加圧した消火用水を供給する。
【００２０】
消火ポンプ１０に対しては呼水槽１７を設ける。また消火ポンプ１０の起動に使用する圧力タンク１８を設ける。圧力タンク１８は給水本管１６に接続し、配管内の加圧消火用水を導入して内部の空気を圧縮している。圧力タンク１８には圧力スイッチ２０を設け、圧力スイッチ２０は給水本管１６の管内圧力が規定圧力以下に低下した減圧を検出してポンプ制御盤１４に減圧検出信号を出力し、これによってモータ１２を駆動して消火ポンプ１０を起動する。
【００２１】
給水本管１６からは建物の例えば階別の防護区画毎に分岐管２２を引き出している。分岐管２２の分岐部分には予作動弁装置２４を設けている。予作動弁装置２４の２次側の分岐管２２には閉鎖型のスプリンクラーヘッド２６を設け、２次側配管内には加圧消火用水を充水している。またスプリンクラーヘッド２６を設置した防護区画には火災感知器３６を設置し、火災感知器３６からの感知器線を、自火報受信機３５を介して予作動弁制御盤３４に接続している。分岐管２２の末端側には末端試験弁２８を設け、その２次側を、オリフィス３０を介して排水管３２に接続している。
【００２２】
予作動弁装置２４は、予作動弁４０、作動用電動弁４２、減圧検出スイッチ４４及び流水検知スイッチ４６を備える。予作動弁４０の開放は作動用電動弁４２により行う。作動用電動弁４２は通常の監視状態では閉鎖状態にある。作動用電動弁４２を予作動弁制御盤３４からの開放制御信号により開放制御すると、予作動弁４０が開閉駆動機構により開放する。
【００２３】
この状態で、２次側配管に接続しているスプリンクラーヘッド２６が火災による熱気流を受けて開放すると、作動したスプリンクラーヘッド２６からの放水により２次側の圧力が低下して予作動弁４０が開放し、１次側から２次側に加圧消火用水を供給する。
【００２４】
予作動弁４０が開放すると、その１次側に接続している給水本管１６の圧力も低下し、この減圧を圧力タンク１８に設けている圧力スイッチ２０で検出して、ポンプ制御盤１４がポンプ１０を起動する。予作動弁４０の２次側に設けているスプリンクラーヘッド２６の作動による減圧は、減圧検出スイッチ４４で検出する。また予作動弁４０の開放による２次側への流水は流水警報圧力スイッチ４６で検出する。
【００２５】
［予作動弁制御盤の構成］
（予作動弁制御盤の概要）
図２は予作動弁制御盤の機能構成の実施形態を示したブロック図である。図２に示すように、予作動弁制御盤３４は、制御部４８、操作部５０、表示部５２、警報部５４を備え、図１に示した例えば階別の防護区画毎に、予作動弁装置２４−１〜２４−ｎを接続している。また、予作動弁装置２４−１〜２４−ｎに対応して予作動弁制御盤３４に駆動部５６を設けている。なお、予作動弁装置２４−１〜２４−ｎを区別しない場合は予作動弁装置２４とする。
【００２６】
予作動弁装置２４−１〜２４−ｎは、図１に示した火災感知器３６、作動用電動弁４２、減圧検出スイッチ４４及び作動用電動弁４２を取り出して示し、更に、作動用電動弁４２の全開位置と全閉位置を検出する位置検出器５８を設けている。なお、火災感知器３６は予作動弁装置の防護区画に設置しているが、説明の都合上、予作動弁装置２４の中に示している。
【００２７】
制御部４８は、例えばプログラムの実行により実現される機能であり、ハードウェアとしてはＣＰＵ、メモリ、各種の入出力ポート等を備えたコンピュータ回路等を使用する。
【００２８】
制御部４８に対しては防護区画毎の予作動弁装置２４−１〜２４−ｎ側に設けた火災感知器３６を感知器線により接続し、また減圧検出スイッチ４４と位置検出器５８を信号線により接続し、更に、駆動部５６を介して作動用電動弁４２を制御線により接続している。
【００２９】
また、制御部４８には、プログラムの実行により実現される機能として、試験制御部６０を設けている。操作部５０は、予作動弁制御盤３４の操作に必要な各種の操作スイッチを設けている。表示部５２は、予作動弁制御盤３４の制御動作に必要な各種の表示器を設けている警報部５４には火災警報、障害警報を音響出力するスピーカなどを設けている。なお、操作部と表示部の機能を備えたタッチパネル付きの液晶表示パネルを設けても良い。
【００３０】
（制御部の構成）
予作動弁制御盤３４の制御部４８は、ダブルインターロック制御として、防護区画毎に、火災感知器３６による火災検出と減圧検出スイッチ４４による減圧検出の両方を判別した場合に、予作動弁装置２４に設けた作動用電動弁４２に開放制御信号を出力して遠隔的に開放制御し、これに伴い予作動弁４０をその開閉駆動機構により開放動作してスプリンクラーヘッド２６から加圧消火用水を散水させる制御を行う。
【００３１】
また、制御部４８は、別パターンとして、火災感知器による火災検出ができない障害検出、例えば伝送障害、断線、短絡、連動停止、商用電源断などの障害検出と減圧検出器による減圧検出の両方を判別した場合に作動用電動弁４２に開放制御信号を出力して開放制御し、これにより予作動弁装置２４を開放動作してスプリンクラーヘッド２６から加圧消火用水を放水させる。
【００３２】
（試験制御部の構成）
制御部４８に設けた試験制御部６０は、定期点検などを行う場合、操作部５０による点検操作の受付けを検出した場合に、動作の重複を回避する所定のインターバル時間をおいて、複数の予作動弁装置２４に設けた作動用電動弁４２に開放制御信号を順次出力して遠隔的に開放制御する試験制御を行って閉鎖位置から開放位置に動作するまでの動作時間を計測し、計測した動作時間に基づいて作動用電動弁４２の異常を判定して判定結果を出力する。この場合、作動用電動弁４２の開放制御に伴い予作動弁４０が開放動作するが、２次側配管内には加圧消火用水が充水されているため、予作動弁４０を開放しても消火設備の状態に変化はない。
【００３３】
試験制御部６０における動作時間に基づく作動用電動弁４２の異常判定は例えば次のいずれかとする。
【００３４】
（異常判定１）
試験制御部６０は、作動用電動弁４２の動作時間が所定時間以上の場合に異常と判定する。この異常を判定するための所定時間は、作動用電動弁４２の仕様などに基づき定める。
【００３５】
（異常判定２）
試験制御部６０は、作動用電動弁４２の動作時間を記憶しており、過去に試験動作した場合の動作時間に対する時間差が所定時間以上の場合に異常と判定する。この異常を判定するための時間差は、作動用電動弁毎に初回試験時の動作時間に対し例えば±１０％を越える時間とする。
【００３６】
（異常判定３）
試験制御部６０は、作動用電動弁の開放動作時間と閉鎖動作時間を計測し、両者の時間差が所定時間以上の場合に異常と判定する。この場合の時間差から異常を判定する所定時間は、例えば開放動作時間に対する閉鎖動作時間が例えば±１０％を越える時間とする。
【００３７】
また、異常判定３を行う場合、試験制御部６０は、予作動弁装置２４に設けた作動用電動弁４２に開放制御信号を出力して遠隔的に開放制御する試験制御を行って閉鎖位置から開放位置に動作するまでの動作時間を計測し、続いて作動用電動弁４２に閉鎖制御信号を出力して遠隔的に閉鎖制御する試験制御を行って開放位置から閉鎖位置に動作するまでの動作時間を計測し、これを複数の作動用電動弁４２に対し順次繰り返す。
【００３８】
また、試験制御部６０は、前記異常判定１又は異常判定２を行うための複数の作動用電動弁４２を、試験制御を終了した後に、操作部５０による一斉復旧操作の受付けを検出した場合に、動作の重複を回避する所定のインターバル時間をおいて、複数の作動用電動弁４２に閉鎖制御信号を順次出力して遠隔的に閉鎖制御し、これに伴い予作動弁４０を閉鎖動作して定常状態に復旧させる制御を行う。
【００３９】
このような試験制御部６０による作動用電動弁４２の試験制御により計測した動作時間から異常の有無を判定することにより、作動用電動弁４２が動かなくなる故障を起こす前に現れる前兆現象としての異常を判定可能とし、作動用電動弁４２が故障する前に、異常判定に基づき作動用電動弁４２の修理又は交換などによる対処を可能とし、作動電動弁４２の遠隔制御による消火動作を行う消火設備の信頼性を向上し、火災が発生した場合に確実に消火動作を行うことを可能とする。
【００４０】
また、作動用電動弁４２の動作時間を計測して異常の有無を判定する制御は、スプリンクラー消火設備の点検に伴い予作動弁装置を試験動作する場合に行うようにしても良い。
【００４１】
スプリンクラー消火設備を点検する場合には、図１に示した末端試験弁２８を開放操作してオリフィス３０で決まるスプリンクラーヘッド２６が一台作動した場合に相当する水量を排水管３２に流し、これによりスプリンクラーヘッド２６が作動したと同じ状態を擬似的に作り出し、予作動弁制御盤３４で点検に伴う擬似的な火災検出と末端試験弁２８の開放操作による減圧検出に基づき、予作動弁装置２４の作動用電動弁４２を開放制御し、これにより予作動弁４０を試験的に開放して、流水検知信号が得られることを確認している。
【００４２】
このような点検操作は防護区画毎に順番に行い、点検が終了した後に、予作動弁制御盤３４に設けた操作部を使用して、複数の予作動弁装置２４に設けている作動用電動弁４２を閉鎖位置に復帰制御して予作動弁４０を閉鎖し、定常監視状態に復帰させている。
【００４３】
そこで、予作動制御盤３４の制御部４８に設けている試験制御部６０により、点検操作に伴い開放制御する作動用電動弁４２の動作時間を計測し、計測した動作時間から異常の有無を判定する制御を行う。
【００４４】
［予作動式スプリンクラー消火設備の制御動作］
図３は予作動式スプリンクラー消火設備で火災が発生した場合の制御動作を示したフローチャートである。なお図３にあっては、予作動弁制御盤３４の処理をブロックで示し、それ以外のイベントや操作などについては二重のブロックで示している。また、制御動作に伴う機器は図１及び図２を参照している。
【００４５】
図３に示すように、ステップＳ１（以下「ステップ」は省略）で火災が発生した場合、Ｓ２で火災感知器３６が火災を検出し、Ｓ３で予作動弁制御盤３４の制御部４８が所定時間の蓄積動作を行い、蓄積時間を経過しても火災検出が継続している場合は、Ｓ４で火災検出を判別する。
【００４６】
一方、Ｓ５でスプリンクラーヘッド２６が火災による熱気流を受けて作動すると、Ｓ６で予作動弁４０の２次側配管内の減圧が発生し、これをＳ７のように減圧検出スイッチ４４が作動して減圧検出信号を出力する。
【００４７】
予作動弁制御盤３４の制御部４８は減圧検出スイッチ４４からの減圧検出信号を受信して減圧検出を判別し、これによって火災検出と減圧検出の両方を判別することでアンド条件が成立し、作動用電動弁４２に開放制御信号を出力して、Ｓ８で作動用電動弁４２を開放させる。
【００４８】
この場合、制御部４８は、複数の防護区画に設けた火災感知器３６による火災検出と減圧検出スイッチ４４による減圧検出を判別した場合には、予め設定しているインターバル時間Ｔｉをおいて複数の作動用電動弁４２に開放制御信号を順次出力して、Ｓ８で複数の作動用電動弁４２を順次開放させる。
【００４９】
作動用電動弁４２が開放すると、Ｓ９に示す予作動弁４０の開放が行われる。予作動弁４０が開放すると流水検知スイッチ４６が作動し、流水検出信号を出力する。続いてＳ１１で予作動弁４０の開放に伴い１次側配管内即ち給水配管１６の圧力低下が発生し、これに伴い圧力タンク１８の圧力スイッチ２０がＳ１２に示すように作動し、Ｓ１３で消火ポンプ１０が起動することで加圧消火用水が供給され、開放状態にある予作動弁装置２４を介して、作動しているスプリンクラーヘッド２６から消火用水が放水され、Ｓ１４の消火が行われる。
【００５０】
続いてＳ１５で消火を確認したならば、Ｓ１６で図４に示した操作部１０２の予作動弁閉鎖スイッチを操作（復旧操作）することで、作動用電動弁４８の閉鎖をＳ１６で行う。
【００５１】
ここで、複数の予作動弁装置２４を開放動作していた場合、制御部４８は、開放動作した複数の予作動弁装置２４に設けている作動用電動弁４２に、予め設定しているインターバル時間Ｔｉをおいて開放制御信号を順次出力して、Ｓ８で複数の作動用電動弁４２を順次閉鎖させる。
【００５２】
作動用電動弁４２が閉鎖すると、予作動弁４０の閉鎖動作がＳ１７で行われ、これに伴い、流水警報用圧力スイッチ４６がＳ１８で復旧し、Ｓ１９で放水停止に至る。
【００５３】
［開放位置を定常位置とする消火設備］
（消火設備の概要）
図４は定常状態で作動用電動弁を開放位置に制御する湿式スプリンクラー消火設備の概略を示した説明図である。
【００５４】
図４に示すように、消火ポンプ１０、モータ１２、ポンプ制御盤１４、水源水槽１５、給水本管１６の構成は図１の実施形態と同様になる。
【００５５】
給水本管１６からは建物の階ごとに、作動用電動弁として機能する制御弁１００及び流水検知装置１０２を介して分岐管２２を引き出しており、流水検知装置１０２の２次側の分岐管には閉鎖型のスプリンクラーヘッド２６を接続している。
【００５６】
制御弁１００はモータ駆動により開閉鎖制御できる電動弁を使用する。制御弁１００は定常監視状態で開放位置に保持し、開放位置が定常位置となり、このため給水本管３２１６の加圧消火用水は、分岐管２２に設けた開放状態にある制御弁１００及び流水検知装置１０２を通って２次側のスプリンクラーヘッド２６まで供給されている。なお、制御弁１００としては、図１に示した作動用電動弁４２を設けた予作動弁４０を使用しても良い。
【００５７】
流水検知装置１０２は流水検知スイッチ１０４を備えている。流水検知スイッチ１０４は、２次側の分岐管２２に接続しているスプリンクラーヘッド２６が火災による熱を受けて作動したときの消火用水の放出によって発生する水流による弁開放又は圧力低下等を検出してオンし、流水検知信号を、消火用中継器１１２を介してスプリンクラー制御盤１１０に出力する。
【００５８】
分岐管２２の端末側には末端試験弁２８とオリフィス３０を設け、試験時に末端試験弁２８を開いて流す水流により擬似的に流水検知装置１０２を作動してポンプ運転等の試験動作を行わせる。
【００５９】
スプリンクラー制御盤１１０は消火用中継器１１２を介して制御弁１００に対し制御信号を出力する。スプリンクラーヘッド２６の防護区画には火災感知器３６を設置し、火災検出信号を、火報用中継器１１４を介して自火報受信盤３５に出力し、自火報受信盤３５で火災が判断されると、スプリンクラー制御盤１１０に対し火災信号を移報信号として出力する。
【００６０】
スプリンクラー制御盤１１０は、設備の運用を開始する初期状態で、分岐管２２に設けている制御弁１００を開放状態となる定常位置に開放制御している。火災による熱気流を受けてスプリンクラーヘッド２６が作動すると、作動したスプリンクラーヘッド２６からの放水により２次側の圧力が低下し、このときの流水により流水検知装置１０２の弁体が開いて流水検知スイッチ１０４がオンし、スプリンクラー制御盤１１０で流水検知を報知する。
【００６１】
スプリンクラーヘッド２６からの放水により２次側の圧力が低下に伴い給水本管１６の圧力も低下し、この減圧を圧力タンク１８に設けている圧力スイッチ２０で検出して、ポンプ制御盤１４がポンプ１０を始動する。
【００６２】
火災の鎮火を確認した場合は、スプリンクラー制御盤１１０による放水停止操作により制御弁１００を閉鎖制御し、作動したスプリンクラーヘッド２６からの放水を停止し、併せてポンプ制御盤１４に指示してポンプ運転を停止する。
【００６３】
また、スプリンクラー制御盤１１０は、スプリンクラーヘッド２６に物が当たるなどして破損により作動した場合、流水検知スイッチ１０４から流水検知信号が得られても火災感知器３６による火災信号は得られないことから、制御弁１００を閉鎖制御して、誤作動したスプリンクラーヘッド２６からの放水を停止して水損被害を抑制する。
【００６４】
（制御弁の試験制御）
スプリンクラー制御盤１１０には、図２に示した予作動弁制御盤３４の場合と同様に、試験制御部６０の機能を備えた制御部４８を設けており、また、制御弁１００に対しては、図２の作動用電動弁４２の場合の同様、開放位置（全開位置）と閉鎖位置（全閉位置）を検出する位置検出器５８を設けている。
【００６５】
スプリンクラー制御盤１１０の試験制御部６０は、定期点検などを行う場合、操作部による点検操作の受付けを検出した場合に、動作の重複を回避する所定のインターバル時間をおいて、複数の制御弁１００に閉鎖制御信号を順次出力して遠隔的に閉鎖制御する試験制御を行って開放位置から閉鎖位置に動作するまでの動作時間を計測し、計測した動作時間に基づいて次の異常判定１乃至３の何れか又は組合せにより、制御弁１００の異常を判定して判定結果を出力する。
【００６６】
（異常判定１）
試験制御部６０は、制御弁１００の動作時間が所定時間以上の場合に異常と判定する。この異常を判定するための所定時間は、制御弁１００の仕様などに基づき定める。
【００６７】
（異常判定２）
試験制御部６０は、制御弁１００の動作時間を記憶しており、過去に試験動作した場合の動作時間に対する時間差が所定時間以上の場合に異常と判定する。この異常を判定するための時間差は、作動用電動弁毎に初回試験時の動作時間に対し例えば±１０％を越える時間とする。
【００６８】
（異常判定３）
試験制御部６０は、制御弁１００の閉鎖動作時間と開放動作時間を順次計測し、両者の時間差が所定時間以上の場合に異常と判定する。この場合の時間差から異常を判定する所定時間は、例えば閉鎖動作時間に対する開放動作時間が例えば±１０％を越える時間とする。また、この異常判定３を行う場合、試験制御部６０は、制御弁１００に閉鎖制御信号を出力して遠隔的に閉鎖制御する試験制御を行って開放位置から閉鎖位置に動作するまでの閉鎖動作時間を計測し、続いて制御弁１００に開放制御信号を出力して遠隔的に開放制御する試験制御を行って閉鎖位置から開放位置に動作するまでの動作時間を計測し、これを複数の制御弁１００に対し順次繰り返す。
【００６９】
また、試験制御部６０は、前記異常判定１又は異常判定２を行うための複数の制御弁１００の試験制御を終了した後に、操作部による一斉復旧操作の受付けを検出した場合に、動作の重複を回避する所定のインターバル時間をおいて、複数の制御弁１００に閉鎖制御信号を順次出力して遠隔的に閉鎖制御して復旧させる制御を行う。
【００７０】
このような試験制御部６０による制御弁１００の試験制御により計測した動作時間から異常の有無を判定することにより、制御弁１００が動かなくなる故障を起こす前に現れる前兆現象としての異常を判定可能とし、制御弁１００が故障する前に、異常判定に基づき修理又は交換などによる対処を可能とし、制御弁１００の遠隔制御による消火設備の信頼性を向上可能とする。
【００７１】
［本発明の変形例］
（シングルインターロック）
上記の実施形態は、火災感知器による火災検出と減圧検出器による減圧検出の両方を判別した場合に作動用電動弁に開放制御信号を出力して開放制御し、当該開放制御により予作動弁を開放してスプリンクラーヘッドから加圧消火用水を散水させるダブルインターロック制御の予作動式スプリンクラー消火設備を例にとっているが、火災感知器による火災検出を判別した場合に作動用電動弁に開放制御信号を出力して開放制御し、当該開放制御により予作動弁を開放してスプリンクラーヘッドから加圧消火用水を散水させるシングルインターロック制御の予作動式スプリンクラー消火設備についても、同様に適用できる。
【００７２】
このシングルインターロックの場合も、火災感知器による火災検出で作動用電動弁に開放制御信号を出力して開放制御するパターン以外に、火災感知器による火災検出ができない障害検出、例えば伝送障害、断線、短絡、連動停止、商用電源断などの障害検出を判別した場合に、作動用電動弁４８に開放制御信号を出力して開放制御し、当該開放制御により予作動弁装置２４を開放してスプリンクラーヘッドから加圧消火用水を放水させる。
【００７３】
（２次側の圧縮空気充填又は真空引き）
また、上記の実施形態は、予作動弁装置の２次側配管に加圧消火用水を充水する場合を例に取っているが、予作動弁装置の２次側配管に加圧空気を重点した乾式予作動スプリンクラー消火設備、真空ポンプを使用して２次側配管のスプリンクラーヘッドの誤作動に対して負圧にして誤報水を抑制する負圧湿式予作動スプリンクラー消火設備についても同様に適用できる。
【００７４】
（防火設備）
また、本発明は、延焼抑制、トンネル内の水噴霧、水幕等の防火設備の自動弁の制御に設けている作動用電動弁にも同様に適用することを可能とする。
【００７５】
（その他）
また、本発明はその目的と利点を損なうことのない適宜の変形を含み、更に上記の実施形態に示した数値による限定は受けない。
【符号の説明】
【００７６】
２４，２４−１〜２４−ｎ：予作動弁装置
３４：予作動弁制御盤
３６：火災感知器
４０：予作動弁
４２：作動用電動弁
４４：減圧検出スイッチ
４６:流水検知スイッチ
４８：制御部
５０:操作部
５６:駆動部
５８:位置検出器
１００：制御弁
１０２：流水検知装置
１１０：スプリンクラー制御盤
【図１】
2015084822.tif 000003
【図２】
2015084822.tif 000004
【図３】
2015084822.tif 000005
【図４】
2015084822.tif 000006